【手続補正書】
【提出日】平成18年7月26日(2006.7.26)
【手続補正１】
【補正対象書類名】明細書
【補正対象項目名】特許請求の範囲
【補正方法】変更
【補正の内容】
【特許請求の範囲】
【請求項１】  複数の重なり合ったテープストリップを具備する接着剤テープストリップのＷ積層パッドであって、
ａ．前記テープストリップは、
ｂ．第１および第２の対向する主面と、第１および第２の対向する長手方向端と、前記第１の端に隣接する第１の長手方向端部分と、前記第２の端に隣接する第２の長手方向端部分と、を有する支持体と、
ｃ．前記支持体の前記第２の主面上の接着剤層と、
を含み、
ｄ．各テープストリップの前記第１の端をすぐ上にあるテープストリップおよびすぐ下にあるテープストリップの第２の端に整列配置させるように、一連のテープストリップが長手方向に逆転され、
ｅ．各テープストリップの前記接着剤層は隣接するテープストリップに剥離可能に接着され、
ｆ．各テープストリップの前記接着剤層は、すぐ上にあるテープストリップが高剥離角度で前記パッドから排出される時に、すぐ下にあるテープストリップの第１の端部分に対して中間テープストリップの第２の端部分のいずれの認識可能な長手方向運動も防止するのに十分な接着剤強度を有する第２の接着レベルで、各テープストリップの前記第２の端部分を隣接するテープストリップの前記第１の端部分に接着させ、
ｇ．各テープストリップの前記接着剤層は、第１の接着レベルで、各テープストリップの前記第１の端部分を隣接するテープストリップの前記第２の端部分に接着させ、（ｉ）前記第１の接着レベルは、前記第２の接着レベルの接着剤強度よりも約１１／２倍大きい接着剤強度を有し、（ｉｉ）前記第１の接着レベルは、前記中間テープストリップの前記第２の端部分が前記すぐ下にあるテープストリップの前記第１の端部分から剥離された後に、且つ、前記中間テープストリップが前記すぐ下にあるテープストリップの前記第２の端部分から完全に剥がされる前に、前記上にあるテープストリップを前記中間テープストリップから完全に剥離することを可能にするための効果的な接着剤強度を有するパッド。
【請求項２】  前記第２の接着レベルの接着剤強度と前記第１の接着レベルの接着剤強度との比率は約１：４〜１：８の間である請求項１記載のパッド。
【請求項３】  前記支持体の前記第１の主面の前記第１の端部分に優良剥離ＬＡＢ層と、前記支持体の前記第１の主面の前記第２の端部分に基礎ＬＡＢ層とをさらに具備する請求項１記載のパッド。
【請求項４】  前記支持体の前記第１の主面にＬＡＢ層をさらに具備し、前記ＬＡＢ層は、前記支持体の前記第１の端部分のＬＡＢの連続コーティング、および、前記支持体の前記第２の端部分のＬＡＢの不連続コーティングであり、ＬＡＢの連続コーティングおよび不連続コーティングを有する領域は、前記テープストリップの第１の端部分と第２の端部分との間の異なる接着剤強度に寄与するのに効果的であるように、異なる剥離特性を有する請求項１記載のパッド。
【請求項５】  前記接着剤層は、前記支持体の前記第１の端部分の感圧接着剤の連続コーティング、および、前記支持体の前記第２の端部分の感圧接着剤の不連続コーティングであり、感圧接着剤の連続コーティングおよび不連続コーティングを有する領域は、前記テープストリップの第１の端部分と第２の端部分との間の異なる接着剤強度に寄与するのに効果的であるように、異なる接着剤レベルを有する請求項１記載のパッド。
【請求項６】  接着剤テープストリップのＷ積層パッドを排出するためのディスペンサーであって、
ａ．接着剤テープストリップのＷ積層パッドを保持するように構成され配列された保持チャンバを画定し、前記保持チャンバ内の接着剤テープストリップのＷ積層パッドから、上にある接着剤テープストリップが開口を通って排出される時に、上にある接着剤テープストリップの第１の長手方向端部分とすぐ隣接する中間テープストリップの第２の長手方向部分との接着剤で結合された組み合わせの通過を受け入れるように構成され配列された開口を備えた頂部を有するハウジングと、
ｂ．隣接する下にある接着剤テープストリップから前記中間接着剤テープストリップの第２の端部分の剥離点で、前記上にある接着剤テープストリップと前記すぐ隣接する中間接着剤テープストリップとの間に低剥離角度を常に提供するように、前記上にある接着剤テープストリップが前記開口を通って排出される時に、前記上にある接着剤テープストリップに係合するための手段と、
を具備するディスペンサー。
【請求項７】  消耗した接着剤テープストリップのＷ積層パッドを新しい接着剤テープストリップのＷ積層パッドと交換するために、前記保持チャンバにアクセスするための手段をさらに具備する請求項６記載のディスペンサー。
【請求項８】  前記パッドの接着剤テープストリップの供給全体を排出する間中、前記パッドの頂部と前記係合手段との間に実質的に一定の距離を維持するために、個別の接着剤テープストリップが前記パッドから排出される時に、前記係合手段に対して前記保持チャンバ内に保持された接着剤テープストリップのＷ積層パッドを横方向に再位置決めするための手段をさらに具備する請求項６記載のディスペンサー。
【請求項９】  前記保持チャンバは、約２０〜１００の間の接着剤テープストリップを含む接着剤テープストリップのＷ積層パッドを保持するのに十分な深さを有する請求項６記載のディスペンサー。
【請求項１０】  前記係合手段は、前記保持チャンバ内に位置決めされて、前記上にある接着剤テープストリップが排出される時に、前記上にある接着剤テープストリップの前記第１の長手方向端部分のみに係合する請求項６記載のディスペンサー。
【請求項１１】  前記係合手段は前記剥離角度を４５度未満の角度に限定するのに効果的であり、前記上にある接着剤テープストリップの前記第１の端部分の少なくとも０．５ｃｍの長手方向長さは、前記中間接着剤テープストリップの前記第２の端部分に依然として接着される請求項６記載のディスペンサー。
【請求項１２】  制限された剥離角度で差異剥離テープストリップのＷ積層パッドから上にあるテープストリップを排出する方法であって、前記パッドは、各テープストリップの第１の長手方向端を、すぐ上にあるテープストリップおよびすぐ下にあるテープストリップの第２の長手方向端に整列配置するように、長手方向に逆転した一連のテープストリップを有し、前記パッドは、少なくとも、（ｉ）第１の長手方向端と第２の長手方向端とを有する上にあるテープストリップと、（ｉｉ）第１の長手方向端と第２の長手方向端とを有し、前記上にあるテープストリップのすぐ下の中間テープストリップと、（ｉｉｉ）前記中間テープストリップのすぐ下の下にあるテープストリップと、を含み、順次、
ａ．前記上にあるテープストリップの前記第１の長手方向端に向けて、前記上にあるテープストリップの前記第２の長手方向端から累進的に、前記中間テープストリップから前記上にあるテープストリップを剥がすように、前記上にあるテープストリップの前記第２の長手方向端を前記パッドから引き離すステップと、
ｂ．前記上にあるテープストリップが前記中間テープストリップから完全に分離する前に、且つ、前記中間テープストリップの第２の長手方向端部分が前記下にあるテープストリップから剥離する前に、前記上にあるテープストリップと前記中間テープストリップとの間の剥離角度を４５度未満の角度に制限するように、前記上にあるテープストリップに接触するステップと、
ｃ．前記上にあるテープストリップを前記パッドから引き離し続け、順次、（ｉ）前記中間テープストリップの前記第２の長手方向端部分を前記下にあるテープストリップから剥離し、（ｉｉ）前記上にあるテープストリップを前記中間テープストリップから完全に分離するステップと、
を含む方法。